(57)【要約】【課題】係止片を差込孔に差し込みやすくすることで、不正開封防止機構を備えた包装箱を組み立てる作業効率を向上させる。【解決手段】包装箱１は、製品を収納する箱本体２と、箱本体２の上部開口２０を閉塞する蓋体３と、いずれか一方が箱本体２に他方が蓋体３にそれぞれ設けられ、上部開口２０を閉塞する蓋体３が開封するのを規制する、係止片４及び係止片４を差し込み可能なスリット状の差込孔５と、係止片４の左右の端部に折り目１５Ａ，１５Ｂを介して設けられた長さが互いに同じ一対の突片６Ａ，６Ｂと、を備える。一対の突片６Ａ，６Ｂは、折り目１５Ａ，１５Ｂで折り畳んだとき、先端部がともに係止片４の長さ方向の中心位置Ｏ１を越えている。【選択図】図２
2015067339.tif 000002
【特許請求の範囲】
【請求項１】
製品を収納する箱本体と、
前記箱本体の開口を閉塞する蓋体と、
いずれか一方が前記箱本体に他方が前記蓋体にそれぞれ設けられ、前記開口を閉塞する前記蓋体が開封するのを規制する、係止片及び前記係止片を差し込み可能なスリット状の差込孔と、
前記係止片の左右の端部に折り目を介して設けられた長さが互いに同じ一対の突片と、を備え、
一対の前記突片は、前記折り目で折り畳んだとき、先端部がともに前記係止片の長さ方向の中心位置を越える包装箱。
【請求項２】
前記蓋体は、折り目を介して先端部に差込片が設けられ、前記差込片は、前記蓋体が前記開口を閉塞する際に垂直に折り曲げられて前記箱本体の内面と対向し、
前記係止片は前記箱本体に設けられ、前記差込孔は前記蓋体と前記差込片の境目に設けられている請求項１に記載の包装箱。
【請求項３】
一対の前記突片の長さが前記差込片の長さの１／２以上である請求項２に記載の包装箱。
【請求項４】
一対の前記突片は、前記係止片の端部に、前記箱本体側に隙間をあけるようにして設けられている請求項３に記載の包装箱。
【請求項５】
前記箱本体は、上端部から一対の切れ込みを設けることで内外へ屈曲可能でありかつミシン目の破断により前記箱本体から切り離し可能な支持片を有し、前記支持片の上端部に折り目を介して前記係止片が設けられている請求項３又は４に記載の包装箱。
【発明の詳細な説明】
【技術分野】
【０００１】
本発明は、正規の開封手段によらずに不正に開封されるのが防止されている、不正開封防止機構が備えた包装箱に関するものである。
【背景技術】
【０００２】
従来の不正開封防止機構を備えた包装箱は、底部が閉塞され上部に開口を有する箱本体と、箱本体の開口を閉塞する蓋体とを備えるとともに、例えば箱本体に折り曲げ可能な係止片が、蓋体に係止片を差し込み可能なスリット状の差込孔が設けられている（例えば特許文献１を参照）。係止片は、左右の端部に、折り目を介して長さが互いに同じ突片を備えており、左右の突片を折り目で折り畳んで係止片に重ね、指で押さえるなどして両突片が開かないようにすることで、差込孔へ差し込まれる。係止片が差込孔に差し込まれると、係止片の両端部の突片が、折り畳まれた状態から開いた状態となり、両突片がストッパーの機能を果たして係止片が差込孔から抜け出るのが阻止される。よって、別に設けられた正規の開封手段によらずに包装箱が不正に開封されるのが防止されている。
【先行技術文献】
【特許文献】
【０００３】
【特許文献１】特開２０１０−２８５１７９号公報
【発明の概要】
【発明が解決しようとする課題】
【０００４】
特許文献１に記載の不正開封防止包装箱では、係止片の両端部に設けられた左右の突片の長さが短く、両突片を折り畳んだ際に、両突片の先端部が係止片の長さ方向の中心位置付近で対向する。そのため、係止片の差込孔への差し込み時に両突片が開かないようにするためには、係止片の中心位置付近において両突片の先端部をまとめて片方の手の指で押さえるか、あるいは、各突片の根元をそれぞれ片方の手の指で押さえる必要がある。しかしながら、係止片の中心位置付近を指で押さえたのでは、指が邪魔になって係止片を差込孔へ差し込みにくい。一方で、各突片の根元をそれぞれ片方の手の指で押さえた場合も係止片を差込孔へ差し込みにくい。このように、係止片の両突片の長さが短いと、係止片を差込孔へ差し込むのに手間を要し、包装箱を組み立てる作業効率が悪いという問題がある。
【０００５】
本発明は、上記した問題に着目してなされたものであり、係止片を差込孔に差し込みやすくすることで包装箱を組み立てる作業効率を向上させた、不正開封防止機構を備える包装箱を提供することを目的とする。
【課題を解決するための手段】
【０００６】
本発明の上記目的は、製品を収納する箱本体と、前記箱本体の開口を閉塞する蓋体と、いずれか一方が前記箱本体に他方が前記蓋体にそれぞれ設けられ、前記開口を閉塞する前記蓋体が開封するのを規制する、係止片及び前記係止片を差し込み可能なスリット状の差込孔と、前記係止片の左右の端部に折り目を介して設けられた長さが互いに同じ一対の突片と、を備え、一対の前記突片は、前記折り目で折り畳んだとき、先端部がともに前記係止片の長さ方向の中心位置を越える包装箱により達成される。
【０００７】
上記構成の包装箱において、前記蓋体は、折り目を介して先端部に差込片が設けられ、前記差込片は、前記蓋体が前記開口を閉塞する際に垂直に折り曲げられて前記箱本体の内面と対向し、前記係止片は前記箱本体に設けられ、前記差込孔は前記蓋体と前記差込片の境目に設けられていることを特徴としている。
【０００８】
また、さらに好ましい実施態様においては、一対の前記突片の長さが前記差込片の長さの１／２以上であることを特徴としている。
【０００９】
また、さらに好ましい実施態様においては、一対の前記突片の長さが長い方の前記突片の長さが前記差込片の長さの１／２以上であることを特徴としている。
【００１０】
また、さらに好ましい実施態様においては、一対の前記突片は、前記係止片の端部に、前記箱本体側に隙間をあけるようにして設けられていることを特徴としている。
【００１１】
また、さらに好ましい実施態様においては、前記箱本体は、上端部から一対の切れ込みを設けることで内外へ屈曲可能でありかつミシン目の破断により前記箱本体から切り離し可能な支持片を有し、前記支持片の上端部に折り目を介して前記係止片が設けられていることを特徴としている。
【発明の効果】
【００１２】
本発明の包装箱によれば、係止片を差込孔に差し込む際に、係止片に折り重ねられた両突片を開かないように指などで押さえていても、係止片を差込孔に容易に差し込めるので、包装箱を組み立てる作業効率を向上させることができる。
【図面の簡単な説明】
【００１３】
【図１】本発明の一実施形態に係る包装箱の斜視図である。
【図２】図１の包装箱の蓋を閉じる前を示す正面図である。
【図３】図１の包装箱の蓋を閉じる前を示す斜視図である。
【図４】図１の包装箱の展開図である。
【図５】左右の突片を係止片に折り畳んだ状態を拡大して示す正面図である。
【図６】図１の包装箱の蓋を開けた後を示す斜視図である。
【図７】図１の包装箱の蓋を閉じた時の両突片の状態を示す説明図である。
【発明を実施するための形態】
【００１４】
以下、本発明の実施形態について、添付図面を参照して説明する。図１〜図３は、本発明の一実施形態である包装箱１の外観構成を示している。図４は、包装箱１の展開図を示している。包装箱１は、厚紙、段ボール紙、プラスティックシートなどの材料からなり、上端部に開口２０を有する箱本体２と、箱本体２の上部開口２０を閉塞する蓋体３とにより構成されている。
【００１５】
箱本体２は、底面部２１と、周面を構成する長方形状の後面部２２Ａ、前面部２２Ｂ及び左右の側面部２２Ｃ，２２Ｄとが一体に設けられた角型の容器であり、上部開口２０から箱本体２内に製品を収納可能である。
【００１６】
底面部２１は、後面部２２Ａ、前面部２２Ｂ及び各側面部２２Ｃ，２２Ｄの下端部に折り曲げ可能に一体に設けられた２種類の底面構成片２３，２４（図４に示す）が、巴状に互いに絡み合って底面部２１が抜けないようにされたボトムロック構造が用いられている。本実施形態では、底面構成片２４に連接された連結片２５を隣接する底面構成片２３に糊付けしたワンタッチ底構造が用いられている。ワンタッチ底構造は、包装箱１の組み立てと同時に簡単に底面部２１を形成することができる。なお、底面部２１は、ワンタッチ底構造に限らず、アメリカンロック構造など、その他の公知の構造を採用することもできる。
【００１７】
後面部２２Ａの上端部には、蓋体３が折り曲げ可能に一体に設けられている。また、蓋体３が設けられた後面部２２Ａと対向する前面部２２Ｂの上端部には、上部開口２０を閉塞する蓋体３をロックして開封するのを規制する係止片４が折り曲げ可能に一体に設けられている。また、左右の側面部２２Ｃ，２２Ｄの上端部には、それぞれフラップ２６が折り曲げ可能に一体に設けられている。各フラップ２６は、それぞれ側面部２２Ｃ，２２Ｄに対して垂直に折り曲げられることで、箱本体２の上部開口２０を塞ぐ蓋体３を支持する。
【００１８】
蓋体３は、矩形状であり、箱本体２の上部開口２０を塞ぐことが可能な大きさを有している。蓋体３の先端部には、差込片３０が折り曲げ可能に一体に設けられており、差込片３０は、蓋体３により上部開口２０を閉塞する際に垂直に折り曲げられて、箱本体２の係止片４が設けられた前面部２２Ｂの内面と対向する。蓋体３と差込片３０との境目（図４の折り目１４）には、左右の両側位置に、切れ込み３１が設けられている。蓋体３により上部開口２０を閉塞する際に、フラップ２６の前面部２２Ｂ側の端縁が切れ込み３１に差し込まれ、差込片３０の左右の端部がフラップ２６の下側に回りこんでフラップ２６と係合することで、蓋体３を開封しにくくなっている。
【００１９】
また、蓋体３と差込片３０との境目（図４の折り目１４）には、中央位置に、係止片４を差し込み可能なスリット状の差込孔５が設けられている。差込孔５には、差込片３０を凹状に切り欠くことで形成される切欠部５０が連設されている。切欠部５０は、図４に示すように、差込孔５の長さ方向の中心位置Ｏ２に設けられているが、中心位置Ｏ２よりも左右どちらかにずれた位置に設けられていてもよい。
【００２０】
係止片４が設けられた前面部２２Ｂ（箱本体２）は、上端部から下方に係止片４の左右の両端部に沿って一対の切れ込み７が設けられることで、両切れ込み７の間に支持片８を有している。支持片８は、前面部２２Ｂ（箱本体２）に対して内外に屈曲可能であり、支持片８の上端部に係止片４が折り曲げ可能に一体に設けられている。係止片４を差込孔５に差し込む際に、支持片８を外側に倒すことで、係止片４を差込孔５に差し込みやすくなる。
【００２１】
両切れ込み７の下端部の間には、前面部２２Ｂ（箱本体２）の上端部と平行なミシン目９が設けられており、ミシン目９の破断により、支持片８及び係止片４が前面部２２Ｂ（箱本体２）から切り離し可能である。前面部２２Ｂ（箱本体２）の上端部からミシン目９までの長さＤとしては、１０ｍｍ以上であることが好ましく、１０ｍｍ〜３５ｍｍ程度がより好ましく、２０ｍｍ程度がさらに好ましい。ミシン目９が上方に位置し過ぎると、詳細は後述するが、支持片８を押し込んでミシン目９を破断させるときに、力をかけづらいからである。ミシン目９は、切断部分と非切断部分とが一定間隔で交互に連続して並んでいるが、本実施形態では、図２に示すように、中央の切断部分９０Ａが他の切断部分９０Ｂよりも長さが長く設定されている。なお、ミシン目の形状は必ずしも本実施形態のものに限られるものではなく、同じ長さの切断部分が一定間隔で並んでいてもよい。
【００２２】
支持片８の両端部と前面部２２Ｂ（箱本体２）との間（両切れ込み７）には、両者を接合する１又は複数の接合部８０が設けられており、包装箱１の組み立てを行う前は、支持片８は前面部２２Ｂ（箱本体２）と一体となっている。前面部２２Ｂ（箱本体２）の上端部の支持片８の両端部との境目となる２つの角部２７は面取りされている。
【００２３】
係止片４の左右の端部には、左右両側に突き出る一対の突片６が折り曲げ可能に一体に設けられている。係止片４は、図３に示すように、左右の突片６を折り畳んで係止片４に重ね、指で摘んで押さえるなどして係止片４及び両突片６が重ねられた状態を保持したまま蓋体３の差込孔５へ差し込むことで、差込孔５に差し込み可能となり、係止片４が差込孔５に差し込まれた後は、図７に示すように、左右の突片６が折り畳まれた状態から自然に開いた状態となることで、両突片６がストッパーの機能を果たして差込孔５から抜け出るのが不可能となる。
【００２４】
一対の突片６は、係止片４の左右の端部（図４の折り目１５Ａ，１５Ｂ）から左右両側に突き出る長さｄ１が互いに同じである。さらに、一対の突片６は、図５に示すように、係止片４に折り重ねたとき、先端部が係止片４の長さ方向の中心位置Ｏ１を越えるようにその長さｄ１が設定されている。これにより、両突片６を係止片４にそれぞれ折り重ねると、一方の突片６の上側に他方の突片６が積み重ねられた状態となり、上側の突片６の先端部が、上記した中心位置Ｏ１よりも、下側の突片６側にずれた位置まで延出するようになる。突片６の長さｄ１としては、５ｍｍ以上であることが好ましく、５ｍｍ〜３０ｍｍ程度がより好ましい。
【００２５】
また、一対の突片６は、その幅ｗ１が係止片４の幅ｗよりも短く設定されており、突片６の前面部２２Ｂ（箱本体２）側の端縁が係止片４の前面部２２Ｂ（箱本体２）側の端縁（図４の折り目１３Ｂ）と段差をなしていることで、前面部２２Ｂ（箱本体２）側に隙間Ｓがあくようにして、係止片４の端部に設けられている。
【００２６】
また、一対の突片６の長さｄ１は、蓋体３の差込片３０の蓋体３の先端部（図４の折り目１４）から突き出る長さｄの１／２以上となるように設定されており、差込片３０の長さｄよりも長くてもよい。その理由については後述する。
【００２７】
なお、本実施形態では、差込片３０の長さｄが前面部２２Ｂ（箱本体２）の上端部からミシン目９までの長さＤとほぼ同じ長さに設定されているが、どちらか一方が他方よりも長さが長く設定されていてもよい。差込片３０の長さｄとしては、１０ｍｍ以上であることが好ましく、１０ｍｍ〜３５ｍｍ程度がより好ましい。
【００２８】
上記構成の箱本体２及び蓋体３は、図４に示す１枚の型紙１０を所定の折り目に沿って折り曲げることにより組み立てられる。型紙１０は、長方形状の４連の前面部２２Ｂ、側面部２２Ｃ、後面部２２Ａ及び側面部２２Ｄが折り目１１Ａ〜１１Ｃを介して連設されており、一端側の前面部２２Ｂには他端側の側面部２２Ｄとの接着用の貼付片２８が連設されている。後面部２２Ａ、前面部２２Ｂ及び各側面部２２Ｃ，２２Ｄの下端部には、折り目１２Ａ〜１２Ｄを介して底面構成片２３，２４が連設されており、上端部には、折り目１３Ａ〜１３Ｄを介して順に蓋体３、係止片４、各フラップ２６が連設されている。蓋体３の先端部には、折り目１４を介して差込片３０が、係止片４の左右の端部には、折り目１５Ａ，１５Ｂを介して突片６が、それぞれ連設されている。
【００２９】
上記構成の包装箱１は、まず、図４に示す型紙１０を用い、後面部２２Ａ、前面部２２Ｂ及び各側面部２２Ｃ，２２Ｄと、底面構成片２３，２４とを所定の折り目に沿って折り曲げ、貼付片２８や連結片２５を、側面部２２Ｃや底面構成片２３に糊付けなどすることで箱本体２を組み立てる。そして、箱本体２内に製品を収納した後、蓋体３で箱本体２の上部開口２０を閉塞し、係止片４にて蓋体３をロックする。蓋体３のロックは、図３に示すように、係止片４に連設された左右の突片６を係止片４に折り重ね、指で摘むなどして両突片６が重ねられた状態で係止片４を蓋体３の差込孔５へ差し込む。係止片４が差込孔５に差し込まれると、左右の突片６が折り畳まれた状態から自然にハの字状に開いた状態となり、両突片６が差込片３０さらには前面部２２Ｂに突き当たってストッパーの機能を果たすことで、係止片４が差込孔５から抜け出るのが阻止される。よって、蓋体３により箱本体２の上部開口２０を閉塞した状態が保たれるので、包装箱１が不正に開封されるのを防止できる。
【００３０】
一方で、包装箱１を開封するには、図６に示すように、係止片４を差込孔５に差し込んだまま、係止片４が設けられた前面部２２Ｂの支持片８を指などで押し込み、ミシン目９を破断して支持片８及び係止片４を前面部２２Ｂ（箱本体２）から分離させる。これにより、蓋体３の開封が可能となるので、箱本体２内から製品を取り出すことができる。
【００３１】
上記構成の包装箱１によると、係止片４の左右の端部に設けられた一対の突片６の長さｄ１が互い同じであるが、両突片６が係止片４に折り重ねたときに、先端部が係止片４の中心位置Ｏ１をともに越えているため、一方の突片６の上側に他方の突片６が積み重ねられた状態となる。そのため、例えば、右利きの人は、上側に積み重ねられる突片６が設けられた側の係止片４の端部から指を少しだけ延ばして係止片４を摘めば、図５に示すように、上側に積み重ねられた突片６を係止片４に折り重ねられると同時に、下側に積み重ねられた突片６も他方の突片６が覆い被さることで係止片４に折り重ねられる。また、左利きの人は、下側に積み重ねられる突片６が設けられた側の係止片４の端部から指を少しだけ延ばして係止片を摘めば、両突片６の先端部を同時に摘むことができ、両突片６をまとめて係止片４に折り重ねることができる。このように、係止片４の端部側を指で摘むようにすれば、係止片４を差込孔５に差し込む際に、指がほとんど邪魔にならず、スムーズに差し込めるようになるので、包装箱１の組み立て作業の作業効率が良好に向上する。
【００３２】
また、上記した包装箱１内に製品を収納した状態において、包装箱１を不正に開封して製品を取り出そうとする者は、前面部２２Ｂと蓋体３の差込片３０との間に指を入れ、差込片３０を内側に押し倒すことで、差込片３０の内側でハの字状に開いて係止片４が差込孔５から抜け出るのを阻止している両突片６を強引に係止片４に折り重ねて係止片４を差込孔５から抜き出そうと試みることが想定される。この場合、差込片３０は、図７に示すように、支持片８の両外側であって、かつ、差込片３０の長さｄの半分よりも上側の位置Ｐ１，Ｐ２近傍を押されることが想定される。このとき、突片６の長さｄ１が差込片３０の長さｄの１／２以上あれば、突片６の先端部は差込片３０の長さｄの半分よりも下側に位置し、突片６が差込片３０に引っ掛かって、差込片３０により押されても折り畳まれにくくなる。よって、係止片４を差込孔５から抜き出そうと試みても、突片６は、係止片４に折り重ねられることなく開いた状態が保持され、差込片３０さらには前面部２２Ｂに突き当たってストッパーの機能を果たすので、係止片４が差込孔５から抜け出るのを阻止することができる。
【００３３】
また、包装箱１を正規に開封する場合は、支持片８を内側に押し込むことで、ミシン目９を破断するが、突片６が、前面部２２Ｂ（箱本体２）側に隙間Ｓをあけるようにして係止片４の端部に設けられていることで、差込孔５に係止片４が差し込まれた後も、前面部２２Ｂ（箱本体２）や差込片３０との間に隙間ができる。この隙間により、包装箱１の正規開封時に支持片８を内側に押し込む時点では、支持片８の内側に存在する突片６が支持片８に引っ掛かって支持片８が内側に押し込まれるのを邪魔しないため、支持片８が内側に押し込まれやすくなっていて、ミシン目９が破断しやすくなっている。ミシン目９は一部が破断すれば、連続的に全部を破断可能とできるので、支持片８の内側に突片６が存在していても、容易にミシン目９を破断させて支持片８を前面部２２Ｂ（箱本体２）から分離させることができ、包装箱１の正規開封を容易に行うことができる。なお、包装箱１の組み立て時においても、隙間Ｓがあることで、係止片４の差込孔５への差し込み時に、係止片４が完全に差し込まれる前に突片６が差込孔５に完全に差し込まれるので、係止片４の差し込もしやすくなっている。
【００３４】
加えて、差込片３０に切欠部５０が設けられていることで、差込片３０は切欠部５０により剛性が低下している。よって、包装箱１の正規開封時に支持片８を内側に押し込む際、支持片８の内側の差込片３０も内側に押し倒されやすくなっているので、ミシン目９をさらに破断しやすくなっている。
【００３５】
また、上記構成の包装箱１によると、支持片８を前面部２２Ｂ（箱本体２）から分離可能とするミシン目９は、中央の切断部分９０Ａが他の切断部分９０Ｂよりも長さが長く設定されていることで、包装箱１の正規開封時に支持片８を内側に押し込んでミシン目９を破断させる際に、ミシン目９を破断させやすくなっている。
【００３６】
また、前面部２２Ｂ（箱本体２）の上端部の支持片８との境目となる２つの角部２７が面取りされていて非鋭利となっていることで、包装箱１の組立時や開封時において指などが角部２７に引っ掛かることがなく、作業しやすくなっている。
【００３７】
以上、本発明の一実施形態について説明したが、本発明の具体的な態様は、上記実施形態に限定されるものではない。例えば、上記実施形態では、包装箱１の外形が四角形状であるが、その他の多角形状であったり円形状であってもよい。
【００３８】
また、上記実施形態では、箱本体２の下部開口を底面部２１により閉塞しているが、箱本体２の下部開口についても、上部開口２０と同様に、蓋体３で閉塞し、かつ、突片６を備えた係止片４及び差込孔５により、蓋体３が不正に開封されないようにロックするように構成してもよい。
【００３９】
また、上記実施形態では、係止片４が箱本体２に、差込孔５が蓋体３に、それぞれ設けられているが、係止片４が蓋体３に、差込孔５が箱本体２に、それぞれ設けられるように包装箱１を構成してもよい。
【符号の説明】
【００４０】
１    包装箱
２    箱本体
３    蓋体
４    係止片
５    差込孔
６    突片
７    切れ込み
８    支持片
９    ミシン目
１３Ｂ  折り目
１４  折り目
１５Ａ，１５Ｂ  折り目
３０  差込片
Ｏ１  中心位置
Ｓ    隙間
【図１】
2015067339.tif 000003
【図２】
2015067339.tif 000004
【図３】
2015067339.tif 000005
【図４】
2015067339.tif 000006
【図５】
2015067339.tif 000007
【図６】
2015067339.tif 000008
【図７】
2015067339.tif 000009